(57)【要約】【課題】  小型化が可能で、安価に製造可能な電子部品取付用ソケットの提供。【解決手段】  ソケットハウジング１３と、複数のコンタクト１２，１２…とを備えた電子部品取付用ソケット１０において、ソケットハウジング１３は電子部品収容部１１の底板部にコンタクト収容溝を備え、コンタクト１２は、固定片部５０と、固定片部の下端を横向きに折り曲げた配置に設けた端子片部５１と、端子片部５１の先端側を略Ｕ字型に折り返した第一折り返し屈曲部５２と、第一屈曲部と連続して横向きに延びる中間ばね片部５３と、中間ばね片部の先端側を略Ｕ字状に折り返した第二折り返し屈曲部５４とを有し、第二折り返し屈曲部に連続させて斜め上向きに弾性接触片部５５を一体に備え、コンタクト１２の固定片部５０をソケットハウジング１３に上下方向に向けて形成されたコンタクト固定孔１９に挿入して固定する。【選択図】  図１
2005276625.tif 000002
【特許請求の範囲】
【請求項１】
電子部品の一部又は全部が収容される上面側が開放された電子部品収容部を有するソケットハウジングと、該ソケットハウジングに支持された複数のコンタクトとを備え、該コンタクトには、前記電子部品収容部内に突出して前記電子部品の端子部に弾性的に接触する弾性接触片部と、プリント配線基板に接続させる端子片部と、コンタクトをハウジングに対して固定する固定片部とを一体に備えてなる電子部品取付用ソケットにおいて、
前記ソケットハウジングは、前記電子部品収容部の底板部に上下に連通開口したコンタクト収容溝を備え、
前記コンタクトは、前記ソケットハウジングの上下方向に向けた固定片部と、該固定片部の下端を横向きに折り曲げた配置に設けた端子片部と、該端子片部の先端側を略Ｕ字型に折り返した第一折り返し屈曲部と、該第一屈曲部と連続して横向きに延びる中間ばね片部と、該中間ばね片部の先端側を略Ｕ字状に折り返した第二折り返し屈曲部とを有し、該第二折り返し屈曲部に連続させて斜め上向きに前記弾性接触片部を一体に備え、
前記コンタクトの固定片部を前記ソケットハウジングに上下方向に向けて形成されたコンタクト固定孔に挿入して固定したことを特徴としてなる電子部品取付用ソケット。
【請求項２】
前記コンタクト収容溝は、ソケットハウジングの底面に開口し、前記コンタクトの端子片部が収容される端子片部収容部と、ソケットハウジング内に開口し、前記コンタクトの弾性接触片部及び中間ばね片部が収容される弾性接触片部収容部とからなり、
前記弾性接触片部収容部を前記端子片部収容部より広幅に形成するとともに、前記コンタクトの中間ばね片部を前記端子片部収容部より広幅に形成し、
前記ソケットハウジング内に電子部品が収容され弾性接触片部が押し下げられた際に、中間ばね片部の両縁が端子片部収容部の両側縁部上面に当接して前記第一屈曲部の曲げが規制されるようにしてなる請求項１に記載の電子部品取付用ソケット。
【発明の詳細な説明】
【技術分野】
【０００１】
本発明は、主にカメラモジュール等の電子部品をプリント配線基板に取り付けるための電子部品取付用ソケットに関する。
【背景技術】
【０００２】
従来、携帯電話機等の電子機器は、その内部にプリント配線基板を備え、そのプリント配線基板に、カメラモジュール等の電子部品を取り付けるようになっており、熱に弱い電子部品は、直接半田付けによって取り付けることができないので、図１４に示す如き電子部品取付用ソケットを用いてプリント配線基板に接続するようにしている。
【０００３】
この電子部品取付用ソケット１は、方形状の底板の四辺より立ち上げた周壁に囲まれた電子部品収容部２を有するソケットハウジング３と、底板より突出し、カメラモジュールや半導体素子等の電子部品４の端子部と弾性的に接触する弾性接触片部５ａを有する複数のコンタクト５，５…とを備え、カメラモジュールや半導体素子等の電子部品４を電子部品収容部内２に保持させることによって、電子部品４の端子部がコンタクト５の弾性接触片部５ａと接触し、コンタクト５，５…を介してプリント配線基板６に電気的に接続されるようになっている。
【０００４】
このコンタクト５は、平板状の固定片部５ｂと、固定片部５ｂの一方の端部より折り曲げられた端子片部５ｃと、固定片部５ｂの端子片部５ｃとは反対側の端部より折り曲げられ、固定片部５ｂと逆Ｕ字を形成する中間ばね片部５ｄと、中間ばね片部５ｄの固定片部５ｂとは反対側の端部より斜め方向に折り曲げられ、中間ばね片部５ｄを介して弾性変形する弾性接触片部５ａとを備え、ソケットハウジングの下面側よりソケットハウジングに挿入されるようになっている。
【発明の開示】
【発明が解決しようとする課題】
【０００５】
しかし、上述の如き従来の技術では、コンタクトの弾性変形する部分がソケットの側部に配置されているため、ソケットハウジングの側壁にコンタクトの変形に必要な空間を確保しなければならず、その分外形が大きくなり小型化の妨げとなっていた。
【０００６】
また、コンタクトの弾性変形する部分をソケットの底部に配置するため、コンタクトをソケットハウジングの側部より挿入する構造とすることも考えられるが、このような構造では、ソケットハウジングの形状が複雑となり成形金型の費用が嵩み、生産コストが増大するという問題があった。
【０００７】
そこで本発明は、上述の従来技術の問題を鑑み、小型化が可能で、安価に製造可能な電子部品取付用ソケットの提供を目的とする。
【課題を解決するための手段】
【０００８】
上述の如き従来の問題を解決し、所期の目的を達成するための請求項１に記載の発明は、電子部品の一部又は全部が収容される上面側が開放された電子部品収容部を有するソケットハウジングと、該ソケットハウジングに支持された複数のコンタクトとを備え、該コンタクトには、前記電子部品収容部内に突出して前記電子部品の端子部に弾性的に接触する弾性接触片部と、プリント配線基板に接続させる端子片部と、コンタクトをハウジングに対して固定する固定片部とを一体に備えてなる電子部品取付用ソケットにおいて、
前記ソケットハウジングは前記電子部品収容部の底板部に上下に連通開口したコンタクト収容溝を備え、
前記コンタクトは、前記ソケットハウジングの上下方向に向けた固定片部と、該固定片部の下端を横向きに折り曲げた配置に設けた端子片部と、該端子片部の先端側を略Ｕ字型に折り返した第一折り返し屈曲部と、該第一屈曲部と連続して横向きに延びる中間ばね片部と、該中間ばね片部の先端側を略Ｕ字状に折り返した第二折り返し屈曲部とを有し、該第二折り返し屈曲部に連続させて斜め上向きに前記弾性接触片部を一体に備え、
前記コンタクトの固定片部を前記ソケットハウジングに上下方向に向けて形成されたコンタクト固定孔に挿入して固定した電子部品取付用ソケットであることを特徴とする。
【０００９】
請求項２に記載の発明は、請求項１の構成に加え、前記コンタクト収容溝は、ソケットハウジングの底面に開口し、前記コンタクトの端子片部が収容される端子片部収容部と、ソケットハウジング内に開口し、前記コンタクトの弾性接触片部及び中間ばね片部が収容される弾性接触片部収容部とからなり、
前記弾性接触片部収容部を前記端子片部収容部より広幅に形成するとともに、前記コンタクトの中間ばね片部を前記端子片部収容部より広幅に形成し、
前記ソケットハウジング内に電子部品が収容され弾性接触片部が押し下げられた際に、中間ばね片部の両縁が端子片部収容部の両側縁部上面に当接して前記第一屈曲部の曲げが規制されるようにしたことを特徴とする。 
【発明の効果】
【００１０】
本発明に係る電子部品取付用ソケットは、電子部品の一部又は全部が収容される上面側が開放された電子部品収容部を有するソケットハウジングと、該ソケットハウジングに支持された複数のコンタクトとを備え、該コンタクトには、前記電子部品収容部内に突出して前記電子部品の端子部に弾性的に接触する弾性接触片部と、プリント配線基板に接続させる端子片部と、コンタクトをハウジングに対して固定する固定片部とを一体に備えてなる電子部品取付用ソケットにおいて、
前記ソケットハウジングは前記電子部品収容部の底板部に上下に連通開口したコンタクト収容溝を備え、
前記コンタクトは、前記ソケットハウジングの上下方向に向けた固定片部と、該固定片部の下端を横向きに折り曲げた配置に設けた端子片部と、該端子片部の先端側を略Ｕ字型に折り返した第一折り返し屈曲部と、該第一屈曲部と連続して横向きに延びる中間ばね片部と、該中間ばね片部の先端側を略Ｕ字状に折り返した第二折り返し屈曲部とを有し、該第二折り返し屈曲部に連続させて斜め上向きに前記弾性接触片部を一体に備え、
前記コンタクトの固定片部を前記ソケットハウジングに上下方向に向けて形成されたコンタクト固定孔に挿入して固定したことによって、コンタクトの変形する部分をソケットの底部に配置し、周壁の厚みを抑えることでソケットハウジングの外形を小型化することができ、しかも、ソケットハウジングの形状も複雑にならず、安価に製造することができる。
【００１１】
前記コンタクト収容溝は、ソケットハウジングの底面に開口し、前記コンタクトの端子片部が収容される端子片部収容部と、ソケットハウジング内に開口し、前記コンタクトの弾性接触片部及び中間ばね片部が収容される弾性接触片部収容部とからなり、
前記弾性接触片部収容部を前記端子片部収容部より広幅に形成するとともに、前記コンタクトの中間ばね片部を前記端子片部収容部より広幅に形成し、
前記ソケットハウジング内に電子部品が収容され弾性接触片部が押し下げられた際に、中間ばね片部の両縁が端子片部収容部の両側縁部上面に当接して前記第一屈曲部の曲げが規制されるようにしたことによって、端子片部に弾性接触片部及び中間ばね片部にかかる応力が伝わり難く、プリント配線基板との間の接続状態を好適に保つことができる。
【発明を実施するための最良の形態】
【００１２】
次に、本発明に係る電子部品取付用ソケットに関し、図１〜図１３について説明する。尚、上述の実施例と同一の部分には、同一符号を付して説明を省略する。
【００１３】
図１は、電子部品取付用ソケットを介して、カメラモジュール等の電子部品をプリント配線基板に取り付けた際の使用状態を示し、図中符号１０は電子部品取付用ソケット、符号４はカメラモジュール、符号６はプリント配線基板である。
【００１４】
電子部品取付用ソケット１０は、電子部品４の一部又は全部が収容される上面側が開放された電子部品収容部１１を有するソケットハウジング１３と、ソケットハウジング１３に支持された複数のコンタクト１２，１２…とを備え、電子部品収容部１１内に収容された電子部品４がコンタクト１２，１２…を介してプリント配線基板６に接続されるようになっている。
【００１５】
また、この電子部品取付用ソケット１０は、ソケットハウジング１３の外周部と嵌り合う箱状のシールドケース１４を備え、このシールドケース１４によりシールドがなされている。
【００１６】
ソケットハウジング１３は、図６〜図９に示すように、正方形状の底板１５と、底板１５の四辺より立ち上げた周壁１６とが合成樹脂材等の絶縁材をもって一体に形成され、底板１５及び周壁１６に囲まれて電子部品４が収容される電子部品収容部１１が形成されている。
【００１７】
このソケットハウジング１３には、電子部品収容部１１の底板部、即ちソケットハウジングの底板１５に、上下に連通開口した複数のコンタクト収容溝が底板１５の四辺よりそれぞれ対向する他方の側辺に向けた方向に長く、対向する両側壁間距離の半分よりやや短い細長状に形成されている。
【００１８】
このコンタクト収容溝は、ソケットハウジングの底面に開口し、コンタクトの端子片部が収容される端子片部収容部１８と、ソケットハウジング内に開口し、コンタクトの弾性接触片部及び中間ばね片部が収容される弾性接触片部収容部１７とから構成され、弾性接触片部収容部１７は、端子片部収容部１８より広幅に形成されている。
【００１９】
コンタクト収容溝は、底板１５の四辺の各辺よりそれぞれ対向する辺側に向けて平行に並べて配置されたコンタクト収容溝群を形成し、底板１５の四辺の互いに隣り合う各辺におけるコンタクト収容溝群において、一方のコンタクト収容溝群の側部に他方のコンタクト収容溝群の先端部が向く配置とされている。
【００２０】
各辺におけるコンタクト収容溝群は、その辺に沿って、少なくとも隣り合うコンタクト収容溝の長手方向長さ分だけ、その隣り合うコンタクト収容溝群とは反対側の方向に偏らせて配置するようになっている。
【００２１】
尚、底板１５の中央部には、各コンタクト収容溝群の先端部に囲まれた平坦な搬送用吸引部が形成され、その搬送用吸引部をノズルで吸引することにより自動機等において搬送することができるようになっている。
【００２２】
周壁１６は、底板１５の四辺部より立ち上げらせて形成され、コンタクトの固定片部が挿入される複数のコンタクト固定孔１９がコンタクト収容溝と連続配置に上面に開口して形成されている。
【００２３】
また、周壁１６各辺部の側部、即ちコンタクト収容溝群とは反対側部分には、シールド補助部材２０が取り付けられている。
【００２４】
シールド補助部材２０は、銅合金に錫メッキを施した板材等の導電性を有する板材を二つ折りにした形状に形成され、周壁１６を挟み込んで固定されている。
【００２５】
尚、シールド補助部材２０が取り付けられる部分の周壁は、厚みが薄く形成され、シールド補助部材２０の厚みと合わせて、その他の部分の周壁の厚みと略同じ厚みとなるように形成されている。
【００２６】
また、シールド補助部材２０の外側面には、係止孔２１が形成され、シールドケース１４の内側面に突出した固定用突起が係止されるようになっており、また、この係止孔２１の下縁にソケットハウジングの周壁より突出した固定突起２２が係止され、シールド補助部材２０を周壁１６に固定するようになっている。
【００２７】
更に、シールド補助部材２０の内側部下縁には、ハンダ用突片２３が一体に形成され、このハンダ用突片２３が底板１５に形成された圧入孔２４に圧入され、先端部がソケットハウジング１３の底部に形成された凹欠部２５に露出するようになっている。
【００２８】
シールドケース１４は、図１０に示すように、下面が開口した箱状に形成され、銅合金に錫メッキを施した板材等の導電性を有する板材を図１１に示す展開図のように打ち抜き、それを折曲加工することにより形成されている。尚、図中一転鎖線は折り目である。
【００２９】
このシールドケース１４は、平板状の天板３０と、天板３０の四辺より折り目を介して一体に形成された主側壁板３１，３１…と、各主側壁板３１の一方の縁部、即ち各主側壁板３１の周方向の同じ側縁部に折り目を介して一体に形成された副側壁板３２とを備えている。
【００３０】
天板３０は、その中央部にカメラモジュールの一部（レンズ部）が突出する挿通孔３３が形成され、その四隅に折曲用の切欠き３４，３４…が形成されている。
【００３１】
主側壁板３１は、平板状に形成され、ソケットハウジングのシールド補助部材２０の位置に合わせて弾性係止部３５が形成されている。
【００３２】
弾性係止部３５は、主側壁板３１の下縁、即ち折り目とは反対側の縁部より縁部と直行する方向に向けてスリット３６を入れることにより形成され、その中央部には、組立てた際に内側に突出するように、板材を内側に凹ませることにより固定用突起３７が形成されている。
【００３３】
また、各主側壁板３１の一方の側縁には、副側壁板３２が折り目を介して一体に形成され、他方の側縁には、押圧片３８が折り目を介して一体に形成されている。
【００３４】
副側壁板３２は、折り目より折り曲げられるとともに、折り目とは反対側の縁部が隣合う辺の主側壁板３１の側縁と付き合わされて、隣り合う辺の側壁３９を構成するようになっている。
【００３５】
また、この副側壁板３２の折り目とは反対側の縁部には、押圧片４０が折り目を介して一体に形成されている。
【００３６】
そして、折り目より内側に折り曲げられた押圧片３８，４０同士が重ね合わされ、押圧部４１が形成されるようになっている。
【００３７】
コンタクト１２は、図１２に示すように、固定片部５０、端子片部５１、第一折り返し屈曲部５２、中間ばね片部５３、第二折り返し屈曲部５４及び弾性接触片部５５を一体に備え、金属板材を所定の形状に打ち抜き、それを折曲加工することにより形成されている。
【００３８】
固定片部５０は、ソケットハウジングの上下方向に向けられ、その幅がコンタクト固定孔の幅より広い平板状に形成されている。
【００３９】
この固定片部５０の両側縁には、係止突起５６，５６が一体に形成され、固定片部５０の両側部がコンタクト固定孔１９に嵌り込んだ際に、この係止突起５６がコンタクト固定孔１９の側縁に食い込んで抜け止めされ、ソケットハウジング１３に対し、コンタクト１２が取り付けられるようになっている。
【００４０】
端子片部５１は、固定片部５０の下端を横向きに折り曲げた配置に形成され、コンタクト１２をソケットハウジング１３に取り付けた状態で、下面がソケットハウジング１３の端子片部収容部１８の下面側開口部より露出するようになっている。
【００４１】
この端子片部５１は、固定片部５０に対し幅が狭い細長板状に形成されている。
【００４２】
第一折り返し屈曲部５２は、端子片部５１の先端側、即ち固定片部５０とは反対側を略Ｕ字状に折り曲げて形成され、その幅は端子片部５１と同じ幅に形成されている。
【００４３】
中間ばね片部５３は、第一折り返し屈曲部５２の端子片部５１とは反対側の端部に連続した平板状に形成され、その幅は端子片部５１及び第一折り返し屈曲部５２よりも広幅に形成されている。
【００４４】
第二折り返し屈曲部５４は、中間ばね片部５３の先端側、即ち第一折り返し屈曲部５２とは反対側を略Ｕ字状に折り返して形成されている。
【００４５】
尚、この第一折り返し屈曲部５２、中間ばね片部５３及び第二折り返し屈曲部５４は、側面から見てＳ字を成すように配置されている。
【００４６】
弾性接触片部５５は、第二折り返し屈曲部５４の中間ばね片部５３とは反対側に連続して斜め上向きに形成され、その先端部は、へ字状に折曲され電子部品４の端子部に接触する接触部５７が形成されている。
【００４７】
この中間ばね片部５３び弾性接触片部５５は、上方より押圧されると、第１折り返し屈曲部５２及び第二折り返し屈曲部５４で屈曲し、弾性変形するようになっている。
【００４８】
このコンタクト１２は、図１３に示すように、ソケットハウジング１３の上方より固定片部５０をコンタクト固定孔１９に挿入し、ソケットハウジング１３に保持されると、中間ばね片部５３が弾性接触片部収容部１７内、即ちソケットハウジング１３の底部側に配置され、弾性接触片部５５の先端部が底板１５上面側、即ち電子部品収容部１１内に突出するようになっている。
【００４９】
また、電子部品収容部１１内に電子部品４が収容された際に、弾性接触片部５５が下方に押し込まれても弾性接触片部収容部１７内に逃げ、底板１５と接触しないようになっている。
【００５０】
更に、弾性接触片部収容部１７を端子片部収容部１８より広幅に形成するとともに、コンタクト１２の中間ばね片部５３を端子片部収容部１８より広幅に形成したことによって、第一折り返し屈曲部５２が中間ばね片部５３、第二折り返し屈曲部５４及び弾性接触片部５５の幅より狭く形成されていること、即ち、第一折り返し屈曲部５２の弾性係数がそれらより低いことで、まず、第一折り返し屈曲部５２が弾性変形して中間ばね片部５３が弾性接触片部収容部１７の底面、即ち端子片部収容部１８の上部開口縁部に支持されるので、中間ばね片部５３及び弾性接触片部５５が弾性変形した際の応力が端子片部５１に伝わり難く、端子片部５１のプリント配線基板６との接続状態、即ちハンダ状態を好適に保つことができるようになっている。
【００５１】
また、ソケットハウジング１３に取り付けられた各コンタクト１２，１２…は、弾性接触片部５５が底板１５の一辺側からこれと対向する他辺側に向けられて互いに平行に配置されたコンタクト群を形成する。
【００５２】
このように構成された電子部品取付用ソケット１０は、電子部品（カメラモジュール）４を電子部品収容部１１内に挿入し、その上からシールドケース１４を被せると、シールドケース１４内に突出した押圧部４１の下縁が電子部品４の上縁に当接する。
【００５３】
そして、弾性係止部３５の固定用突起３７がシールド補助部材２０の係止孔２１に係止される位置まで押し下げ、シールドケース１４をソケットハウジング１３の外周部に抜け止めされた状態に嵌め込むと、押圧部４１により電子部品４が下方、即ちコンタクト側に押圧されるとともに、電子部品４の端子部とコンタクト１２の弾性接触片部５５とが適当な接触圧により接触した状態で電子部品４が電子部品収容部１１内に保持される。
【００５４】
これにより、電子部品４が電子部品取付用ソケット１０に取り付けられるとともに、電子部品４がシールドされ、電子部品４は電子部品取付用ソケット１０を介してプリント配線基板６に電気的に接続される。
【００５５】
尚、上述の実施例では、電子部品４としてカメラモジュールを用いた場合について説明したが、電子部品には、カメラモジュールやＩＣチップ等の高周波電子部品、その他の半導体素子やその他様々な電子部品に適用することができる。
【図面の簡単な説明】
【００５６】
【図１】本発明に係る電子部品取付用ソケットの使用状態を示す断面図である。
【図２】図１中のソケットハウジングにコンタクト及びシールド補助部材を取り付けた状態を示す平面図である。
【図３】同上の正面図である。
【図４】同上の底面図である。
【図５】同上の断面図である。
【図６】同上のソケットハウジングを示す平面図である。
【図７】同上の正面図である。
【図８】同上の底面図である。
【図９】同上の縦断面図である。
【図１０】（ａ）は図１中のシールドケースを示す平面図、（ｂ）は同正面図、（ｃ）は同底面図である。
【図１１】同上のシールドケースの展開図である。
【図１２】（ａ）は図１中のコンタクトを示す平面図、（ｂ）は同正面図、（ｃ）は同底面図、（ｄ）は同側面図である。
【図１３】（ａ）は同上のコンタクトの取付状態を示す断面図、（ｂ）は同Ａ−Ａ線断面図である。
【図１４】従来の電子部品取付用ソケットの一例を示す縦断面図である。
【符号の説明】
【００５７】
１０  電子部品取付用ソケット
１１  電子部品収容部
１２  コンタクト
１３  ソケットハウジング
１４  シールドケース
１５  底板
１６  周壁
１７  弾性接触片部収容部
１８  端子片部収容部
１９  コンタクト固定孔
２０  シールド補助部材
２１  係止孔
２２  固定突起
２３  ハンダ用突片
２４  圧入孔
２５  凹欠部
３０  天板
３１  主側壁板
３２  副側壁板
３３  挿通孔
３４  切欠き
３５  弾性係止部
３６  スリット
３７  固定用突起
３８  押圧片
３９  側壁
４０  押圧片
４１  押圧部
５０  固定片部
５１  端子片部
５２  第一折り返し屈曲部
５３  中間ばね片部
５４  第二折り返し屈曲部
５５  弾性接触片部
５６  係止突起
５７  接触部
【図１】
2005276625.tif 000003
【図２】
2005276625.tif 000004
【図３】
2005276625.tif 000005
【図４】
2005276625.tif 000006
【図５】
2005276625.tif 000007
【図６】
2005276625.tif 000008
【図７】
2005276625.tif 000009
【図８】
2005276625.tif 000010
【図９】
2005276625.tif 000011
【図１０】
2005276625.tif 000012
【図１１】
2005276625.tif 000013
【図１２】
2005276625.tif 000014
【図１３】
2005276625.tif 000015
【図１４】
2005276625.tif 000016